(57)【要約】【課題】吸引風を利用したシンプルな構成で集塵容積と吸込力を確保出来ると共に、排気をよりクリーンに出来る電気掃除機の集塵ボックスを提供すること。【解決手段】前部に吸気口、後部に塵埃を溜める後方開口の集塵室、集塵室の後方開口を覆い吸引された粗い塵埃を除去する粗塵フィルター、細かい塵埃を除去する細塵フィルターを有した集塵ボックスとを備え、吸気口に吸気管を設け、吸気管の下部に吸引された塵埃を粗塵フィルターと略並行に集塵室上方へ案内する上方案内部を設けるもので、シンプルな構成で集塵容積と吸込力を確保出来ると共に、排気をよりクリーンに出来る。【選択図】図４
2012000350.tif 000002
【特許請求の範囲】
【請求項１】
前部に吸引口、後部に電動送風機、前記吸引口と前記電動送風機との間に集塵ボックスを収納する集塵ボックス収納部とを有した電気掃除機本体と、前記集塵ボックス収納部に収納され、前部に前記吸引口と連通する吸気口、後部に塵埃を溜める後方開口の集塵室、集塵室の後方開口を覆い吸引された粗い塵埃を除去する粗塵フィルター、細かい塵埃を除去する細塵フィルターを有した集塵ボックスとを備え、前記吸気口に吸気管を設け、前記吸気管の下部に吸引された塵埃を前記粗塵フィルターと略並行に集塵室上方へ案内する上方案内部を設けた電気掃除機。
【請求項２】
吸気管の略中央上部に開口部を設けた請求項１に記載の電気掃除機。
【請求項３】
上方案内部の略中央に吸引風を左右に分岐する整流凸部を設けた請求項１または２に記載の電気掃除機。
【請求項４】
上方案内部に開孔部を設けた請求項１〜３のうちの何れか１項に記載の電気掃除機。
【請求項５】
前部に吸引口、後部に電動送風機、前記吸引口と前記電動送風機との間に集塵ボックスを収納する集塵ボックス収納部とを有した電気掃除機本体と、前記集塵ボックス収納部に収納され、前部に前記吸引口と連通する吸気口、後部に塵埃を溜める後方開口の集塵室、集塵室の後方開口を覆い吸引された粗い塵埃を除去する粗塵フィルター、細かい塵埃を除去する細塵フィルターを有した集塵ボックスとを備え、前記吸気口に吸気管を設けると共に、前記吸気管に対向する前記粗塵フィルターに風受け部を設け、前記風受け部の下部のみ、又は両側部から下部にかけて前記吸気管近傍まで延出した延出部と、前記風受け部の中央に粗塵フィルターに吸引された塵埃を前記粗塵フィルターと略並行に集塵室上方へ案内する上方案内部を設けた電気掃除機。
【発明の詳細な説明】
【技術分野】
【０００１】
本発明は、電気掃除機、特に電気掃除機の集塵ボックスに関するものである。
【背景技術】
【０００２】
従来の電気掃除機の集塵ボックスは、略円筒形状の遠心分離室を有し、その下流側に粗塵フィルターと細塵フィルターを配設する構成が主流であった。しかしながら、このような構成の集塵ボックスでは、圧力損失が大きく、吸込力を向上し難いという課題があった。
【０００３】
このような背景から、近年、集塵ボックスの吸気口に対向する位置に粗塵フィルターと細塵フィルターを直線的に配設し、集塵ボックスの圧力損失を極力低減することで吸込力を向上するタイプがあり、このようなタイプでは、特に粗塵フィルターの早期目詰まりを低減するため様々な工夫がなされており、例えば集塵ボックスの吸気口に複数の延出部と、粗塵フィルターに風受け部とを設け、吸気口から吸引された気流の一部を延出部間から分散させると共に、残りの気流を風受け部に当て上下左右に分散させ、集塵ボックス内に乱流を発生させることで粗塵フィルターの目詰まりを低減し、集塵容量を確保するものがある（例えば、特許文献１参照）。
【先行技術文献】
【特許文献】
【０００４】
【特許文献１】特開２００８−０２２９３２号公報
【発明の概要】
【発明が解決しようとする課題】
【０００５】
しかしながら、前記従来の構成では、集塵ボックスの吸気口と粗塵フィルターの距離が比較的近い扁平な集塵ボックスであれば、延出部からの分散気流と風受け部での分散流が混流することで十分な乱流が発生し、粗塵フィルターの目詰まりを十分低減することが出来るが、集塵容積確保のため等により集塵ボックスが比較的長くなると、乱流の発生が低下し、粗塵フィルターの目詰まり低減効果が低下するという課題を有していた。
【０００６】
本発明は、前記従来の課題を解決するもので、集塵ボックスの吸気口と粗塵フィルターの距離が比較的ある場合にも粗塵フィルターの早期目詰まりを低減することで集塵容積の確保、集塵ボックスの集塵室内での圧力損失を極力低減することで吸込力の確保を可能とした電気掃除機を提供することを目的とする。
【課題を解決するための手段】
【０００７】
前記従来の課題を解決するために、本発明の電気掃除機は、前部に吸引口、後部に電動送風機、前記吸引口と前記電動送風機との間に集塵ボックスを収納する集塵ボックス収納部とを有した電気掃除機本体と、前記集塵ボックス収納部に収納され、前部に前記吸引口と連通する吸気口、後部に塵埃を溜める後方開口の集塵室、集塵室の後方開口を覆い吸引された粗い塵埃を除去する粗塵フィルター、細かい塵埃を除去する細塵フィルターを有した集塵ボックスとを備え、前記吸気口に吸気管を設け、前記吸気管の下部に吸引された塵埃を前記粗塵フィルターと略並行に集塵室上方へ案内する上方案内部を設けるものである。
【０００８】
これによって、集塵ボックスの吸気口と粗塵フィルターの距離が比較的ある場合にも吸引された比較的軽い粗塵を集塵ボックスの上方に押し付ける効果が高まり、粗塵フィルタ
ーへの直接塵埃がこびり付き量を低減出来ると共に、粗塵フィルター表面を略並行上方へ流れる気流により、粗塵フィルター表面のクリーニング効果が高まり、より粗塵フィルターへの塵埃のこびり付き量を低減出来るので、集塵容積を確保可能となる。
【０００９】
また、粗塵フィルターの目詰まりを低減するには、吸気管の内径を絞り、径小化する方が吸引風の流速が上がり望ましいが、吸込力を確保するためには逆効果となるため、上方案内部を設けることで、吸気管の内径絞り量を減らしても粗塵フィルターの目詰まりを低減出来るので、吸引力も確保可能となる。
【００１０】
さらに、上方案内部により吸引風を上方へ案内することにより、吸気口から粗塵フィルター、細塵フィルターへの直接風が抑えられ、細塵フィルターから電動送風機に抜ける細塵量を低減出来るので、電気掃除機本体から排出される排気をよりクリーンにすることが可能となる。
【発明の効果】
【００１１】
本発明の電気掃除機は、吸引風を利用したシンプルな構成で集塵容積と吸込力を確保出来ると共に、排気をよりクリーンに出来る。
【図面の簡単な説明】
【００１２】
【図１】本発明の実施の形態１における電機掃除機本体の斜視図
【図２】本発明の実施の形態１における集塵ボックスの分解斜視図
【図３】同電気掃除機の集塵ボックスの吸気管を示す斜視図
【図４】同電気掃除機の集塵ボックスの要部断面図
【図５】本発明の実施の形態２における集塵ボックスの吸気管を示す斜視図
【図６】同電気掃除機の集塵ボックスの要部断面図
【図７】本発明の実施の形態３における集塵ボックスの吸気管を示す斜視図
【図８】本発明の実施の形態４における集塵ボックスの分解斜視図
【図９】同電気掃除機の集塵ボックスの要部断面図
【発明を実施するための形態】
【００１３】
第１の発明は、前記従来の課題を解決するために、本発明の電気掃除機は、前部に吸引口、後部に電動送風機、前記吸引口と前記電動送風機との間に集塵ボックスを収納する集塵ボックス収納部とを有した電気掃除機本体と、前記集塵ボックス収納部に収納され、前部に前記吸引口と連通する吸気口、後部に塵埃を溜める後方開口の集塵室、集塵室の後方開口を覆い吸引された粗い塵埃を除去する粗塵フィルター、細かい塵埃を除去する細塵フィルターを有した集塵ボックスとを備え、前記吸気口に吸気管を設け、前記吸気管の下部に吸引された塵埃を前記粗塵フィルターと略並行に集塵室上方へ案内する上方案内部を設けるもので、集塵ボックスの吸気口と粗塵フィルターの距離が比較的ある場合にも吸引された比較的軽い粗塵を集塵ボックスの上方に押し付ける効果が高まり、粗塵フィルターへの直接塵埃がこびり付き量を低減出来ると共に、粗塵フィルター表面を略並行上方へ流れる気流により、粗塵フィルター表面のクリーニング効果が高まり、より粗塵フィルターへの塵埃のこびり付き量を低減出来るので、集塵容積を確保可能となる。
【００１４】
また、粗塵フィルターの目詰まりを低減するには、吸気管の内径を絞り、径小化する方が吸引風の流速が上がり望ましいが、吸込力を確保するためには逆効果となるため、上方案内部を設けることで、吸気管の内径絞り量を減らしても粗塵フィルターの目詰まりを低減出来るので、吸引力も確保可能となる。
【００１５】
さらに、上方案内部により吸引風を上方へ案内することにより、吸気口から粗塵フィルター、細塵フィルターへの直接風が抑えられ、細塵フィルターから電動送風機に抜ける細
塵量を低減出来るので、電気掃除機本体から排出される排気をよりクリーンにすることが可能となる。
【００１６】
第２の発明は、特に、第１の発明の吸気管の略中央上部に開口部を設けるもので、吸引管での管路圧損をより低減可能となり、吸込力をより向上出来ると共に、開口部から上方に吸引風が分散されるので、吸気口から粗塵フィルター、細塵フィルターへの直接風をより抑えることが可能となり、細塵フィルターから電動送風機に抜ける細塵量をより低減出来るので、電気掃除機本体から排出される排気をよりクリーンにすることが可能となる。
【００１７】
また、電気掃除機運転時に塵埃が集塵室内を旋回している状態で電気掃除機を停止させると、旋回していた砂ゴミ等の塵埃が吸気管上部に堆積する場合がある。その状態で集塵ボックスを集塵ボックス収納部から取り出すと、吸気管上部に堆積した砂ゴミ等の塵埃が吸気管内に落下し、使用者が集塵ボックスを傾けると、吸気口からこぼれるケースがあるが、吸気管に開口部を設けることで、吸気管内は常にほぼクリーンな状態に保つことが出来るので、このようなゴミこぼれのチャンスも低減可能となる。
【００１８】
第３の発明は、特に、第１又は第２の発明の上方案内部の略中央に吸引風を左右に分岐する整流凸部を設けるもので、通常ある程度幅のある集塵ボックスに対して、塵埃を上方左右に分離して案内することが可能となり、集塵ボックスの容積をより有効活用しながら塵埃を溜めることが出来るので、集塵容積をより向上することが可能となる。
【００１９】
第４の発明は、特に、第１〜３のいずれか１つの発明の上方案内部に開孔部を設けるもので、上方案内部をより上方まで形成する場合や集塵ボックスの吸気口と粗塵フィルターの距離が比較的近い扁平な集塵ボックスである場合は、上方案内部での圧力損失が増える可能性があり、その場合には開孔部を設けることで、吸引風の上方案内部での衝突圧損を低減することが出来るので、吸込力をより向上することが可能となる。
【００２０】
第５の発明は、前部に吸引口、後部に電動送風機、前記吸引口と前記電動送風機との間に集塵ボックスを収納する集塵ボックス収納部とを有した電気掃除機本体と、前記集塵ボックス収納部に収納され、前部に前記吸引口と連通する吸気口、後部に塵埃を溜める後方開口の集塵室、集塵室の後方開口を覆い吸引された粗い塵埃を除去する粗塵フィルター、細かい塵埃を除去する細塵フィルターを有した集塵ボックスとを備え、前記吸気口に吸気管を設けると共に、前記吸気管に対向する前記粗塵フィルターに風受け部を設け、前記風受け部の下部のみ、又は両側部から下部にかけて前記吸気管近傍まで延出した延出部と、前記風受け部の中央に粗塵フィルターに吸引された塵埃を前記粗塵フィルターと略並行に集塵室上方へ案内する上方案内部を設けるもので、集塵ボックスの吸気口と粗塵フィルターの距離が比較的ある場合にも吸引された比較的軽い粗塵を集塵ボックスの上方に押し付ける効果が高まり、粗塵フィルターへの直接塵埃がこびり付き量を低減出来ると共に、粗塵フィルター表面を略並行上方へ流れる気流により、粗塵フィルター表面のクリーニング効果が高まり、さらに粗塵フィルターへの塵埃のこびり付き量を低減出来るので、集塵容積を確保可能となる。
【００２１】
また、上方案内部により吸引風を上方へ案内することにより、吸気口から粗塵フィルター、細塵フィルターへの直接風が抑えられ、細塵フィルターから電動送風機に抜ける細塵量を低減出来るので、電気掃除機本体から排出される排気をよりクリーンにすることが可能となる。
【００２２】
以下、本発明の実施の形態について、図面を参照しながら説明する。なお、この実施の形態によって本発明が限定されるものではない。
【００２３】
（実施の形態１）
図１に示すように、電気掃除機本体１は、吸込口体（図示せず）と延長管（図示せず）と連通するホース（図示せず）が接続され、前部にホースと連通する吸引口２、後部に電動送風機（図示せず）、吸引口２と電動送風機との間に集塵ボックス３を収納する集塵ボックス収納部４を有している。
【００２４】
図２〜図４に示すように、集塵ボックス３は、前部に吸引口２と連通する吸気口５、後部に塵埃を溜める後方開口の集塵室６、平板状の風受け部７中央に整流凸部８を有した集塵室の後方開口を覆い吸引された粗い塵埃を除去する粗塵フィルター９、細かい塵埃を除去するプリーツ状の細塵フィルター１０を有している。
【００２５】
また、集塵ボックス３の吸気口５には、吸気管１１を設け、吸気管１１の下部には吸引された塵埃を粗塵フィルター９と略並行に集塵室６上方へ案内する上方案内部１２を有し、略中央上部には開口部１３を有している。
【００２６】
以上のように構成された電気掃除機について、その動作、作用を説明する。
まず、電気掃除機本体１が運転状態になると、電動送風機からの吸引力により、床面の塵埃が吸込口体、延長管、ホースを介して集塵ボックス３の集塵室６に吸引される。集塵室６に塵埃が吸引される際には、塵埃は集塵ボックス３の吸気口５から流入し、吸気管１１に案内され、一部は吸気管１１の開口部１３近傍より集塵室６の上方に分散し、一部は粗塵フィルター９の風受け部７に当りつつ吸気管１１の上方案内部１２により集塵室６の上方に分散されながら粗塵フィルター９で除去され、粗塵が集塵室６内に堆積する。吸引された塵埃で粗塵フィルター９を通過した細塵の大部分は、細塵フィルター１０で除去され粗塵フィルター９と細塵フィルター１０の間の空間に堆積する。
【００２７】
以上のように、本実施の形態１においては、集塵ボックス３の吸気口５と粗塵フィルター９の距離が比較的ある場合にも吸気管１１に上方案内部１２を設けることで、吸引された比較的軽い粗塵を集塵ボックス３の上方に押し付ける効果が高まり、粗塵フィルター９への直接塵埃がこびり付き量を低減出来ると共に、粗塵フィルター９表面を略並行上方へ流れる気流により、粗塵フィルター９表面のクリーニング効果が高まり、より粗塵フィルター９への塵埃のこびり付き量を低減出来るので、集塵容積を確保可能となる。
【００２８】
また、粗塵フィルター９の目詰まりを低減するには、吸気管１１の内径を絞り、径小化する方が吸引風の流速が上がり望ましいが、吸込力を確保するためには逆効果となるため、上方案内部１２を設けることで、吸気管１１の内径絞り量を減らしても粗塵フィルター９の目詰まりを低減出来るので、吸引力も確保可能となる。
【００２９】
また、上方案内部１２により吸引風を上方へ案内することにより、吸気口５から粗塵フィルター９、細塵フィルター１０への直接風が抑えられ、細塵フィルター１０から電動送風機に抜ける細塵量を低減出来るので、電気掃除機本体１から排出される排気をよりクリーンにすることが可能となる。
【００３０】
さらに、吸気管１１に開口部１３を設けることで、吸気管１１での寒露圧損をより低減可能となり、吸込力をより向上出来ると共に、開口部１３から上方に吸引風が分散されるので、吸気口５から粗塵フィルター９、細塵フィルター１０への直接風をより抑えることが可能となり、細塵フィルター１０から電動送風機に抜ける細塵量をより低減出来るので、電気掃除機本体１から排出される排気をよりクリーンにすることが可能となる。
【００３１】
また、電気掃除機運転時に塵埃が集塵室内を旋回している状態で電気掃除機を停止させると、旋回していた砂ゴミ等の塵埃が吸気管１１上部に堆積する場合がある。その状態で
集塵ボックス３を集塵ボックス収納部４から取り出すと、吸気管１１上部に堆積した砂ゴミ等の塵埃が吸気管１１内に落下し、使用者が集塵ボックス３を傾けると、吸気口５からこぼれるケースがあるが、吸気管１１に開口部１３を設けることで、吸気管１１内は常にほぼクリーンな状態に保つことが出来るので、このようなゴミこぼれのチャンスも低減可能となる。
【００３２】
（実施の形態２）
本発明の第２の実施の形態について、図５〜図６を用いて説明する。なお、実施の形態１と同一部分については同一符号を付してその説明を省略する。
【００３３】
図５〜図６に示すように、集塵ボックス３の吸気口５には、粗塵フィルター９の風受け部７近傍まで延出した吸気管１１を設け、吸気管１１の下部には吸引された塵埃を粗塵フィルター９と略並行に集塵室６上方へ案内する上方案内部１２を吸気管１１の略中央付近まで形成し、上方案内部１２の略中央に吸引風を左右に分岐する整流凸部１４を設けている。
【００３４】
以上のように構成された電気掃除機について、その動作、作用を説明する。
集塵室６に塵埃が吸引される際には、塵埃は集塵ボックス３の吸気口５から流入し、吸気管１１に案内され、粗塵フィルター９の風受け部７に当りつつ吸気管１１の上方案内部１２及び上方案内部１２と風受け部７に設けた整流凸部１４、８により集塵室６の上方左右に分散されながら粗塵フィルター９で除去され、粗塵が集塵室６内に堆積する。
【００３５】
以上のように、本実施の形態２においては、吸気管１１を粗塵フィルター９の風受け部７近傍まで延出した上で上方案内部１２を設けているので、吸引風はより粗塵フィルター９表面を略並行上方へ流れ易くなり、粗塵フィルター９表面のクリーニング効果が高まり、より粗塵フィルター９への塵埃のこびり付き量を低減出来るので、集塵容積を確保可能となる。
【００３６】
また、上方案内部１２に整流凸部１４を設けているので、粗塵フィルター９の整流凸部８まで到達せず整流しきれない吸引風までも確実に左右に分岐出来るので、通常ある程度幅のある集塵ボックス３に対して、塵埃を上方左右に分離して案内することが可能となり、集塵ボックス３の容積をより有効活用しながら塵埃を溜めることが出来るので、集塵容積をより向上することが可能となる。
【００３７】
（実施の形態３）
本発明の第３の実施の形態について、図７を用いて説明する。なお、実施の形態１〜２と同一部分については同一符号を付してその説明を省略する。
【００３８】
図７に示すように、集塵ボックス３の吸気口５には、粗塵フィルター９の風受け部７近傍まで延出した吸気管１１を設け、吸気管１１の下部には吸引された塵埃を粗塵フィルター９と略並行に集塵室６上方へ案内する上方案内部１２を吸気管１１の略中央付近まで形成し、上方案内部１２の略中央に吸引風を左右に分岐する整流凸部１４を設けている。また、上方案内部１２には、複数の開孔部１５を設けている。
【００３９】
以上のように構成された電気掃除機について、その動作、作用を説明する。
【００４０】
集塵室６に塵埃が吸引される際には、塵埃は集塵ボックス３の吸気口５から流入し、吸気管１１に案内され、粗塵フィルター９の風受け部７に当りつつ吸気管１１の上方案内部１２及び上方案内部１２と風受け部７に設けた整流凸部１４、８により集塵室６の上方左右に分散されながら粗塵フィルター９で除去され、粗塵が集塵室６内に堆積する。一方、
一部の細塵は、上方案内部１２に設けた複数の開孔部１５より粗塵フィルター９の風受け部７方向に直線的に抜け、集塵室６又は粗塵フィルター９と細塵フィルター１０の間の空間に堆積する。
【００４１】
以上のように、本実施の形態３においては、粗塵フィルター９の目詰り低減を優先する場合などに上方案内部１２をより上方まで形成する場合や集塵ボックス３の吸気口５と粗塵フィルター９の距離が比較的近い扁平な集塵ボックス３である場合は、上方案内部１２での圧力損失が増える可能性があるが、開孔部１５を設けることで、吸引風の上方案内部１２での衝突圧損を低減することが出来るので、吸込力をより向上することが可能となる。
【００４２】
（実施の形態４）
本発明の第４の実施の形態について、図８〜図９を用いて説明する。なお、実施の形態１〜３と同一部分については同一符号を付してその説明を省略する。
【００４３】
図８〜図９に示すように、集塵ボックス３の吸気口５には、直管状の吸気管１１を設け、吸気管１１に対向する粗塵フィルター９に風受け部７を設けている。風受け部７には、両側部から下部にかけて吸気管１１近傍まで延出した延出部１６と、中央部に吸引された塵埃を粗塵フィルター９と略並行に集塵室６上方左右へ案内する上方案内部１２、整流凸部８を設けている。
【００４４】
以上のように構成された電気掃除機について、その動作、作用を説明する。
【００４５】
集塵室６に塵埃が吸引される際には、塵埃は集塵ボックス３の吸気口５から流入し、吸気管１１に案内され、吸気管１１から排出された吸引風は、吸気管１１近傍まで延出した延出部１６で下左右方向のへ流出を規制され、ほぼ全ての吸引風が延出部１６、上方案内部１２、整流凸部８に案内され、集塵室６の上方左右に分散されながら粗塵フィルター９で除去され、粗塵が集塵室６内に堆積する。
【００４６】
以上のように、本実施の形態４においては、集塵ボックス３の吸気口５と粗塵フィルター９の距離が比較的ある場合にも吸引された比較的軽い粗塵を集塵ボックス３の上方に押し付ける効果が高まり、粗塵フィルター９への直接塵埃がこびり付き量を低減出来ると共に、粗塵フィルター９表面を略並行上方へ流れる気流により、粗塵フィルター９表面のクリーニング効果が高まり、さらに粗塵フィルター９への塵埃のこびり付き量を低減出来るので、集塵容積を確保可能となる。
【００４７】
また、上方案内部１２により吸引風を上方へ案内することにより、吸気口５から粗塵フィルター９、細塵フィルター１０への直接風が抑えられ、細塵フィルター１０から電動送風機に抜ける細塵量を低減出来るので、電気掃除機本体１から排出される排気をよりクリーンにすることが可能となる。
【産業上の利用可能性】
【００４８】
以上のように、本発明にかかる電気掃除機用は、吸引風を利用したシンプルな構成で集塵容積と吸込力を確保出来ると共に、排気をよりクリーンに出来るので、家庭、業務用の電気掃除機に有用である。
【符号の説明】
【００４９】
１  電気掃除機本体
２  吸引口
３  集塵ボックス
４  集塵ボックス収納部
５  吸気口
６  集塵室
７  風受け部
８  整流凸部
９  粗塵フィルター
１０  細塵フィルター
１１  吸気管
１２  上方案内部
１３  開口部
１４  整流凸部
１５  開孔部
１６  延出部
【図１】
2012000350.tif 000003
【図２】
2012000350.tif 000004
【図３】
2012000350.tif 000005
【図４】
2012000350.tif 000006
【図５】
2012000350.tif 000007
【図６】
2012000350.tif 000008
【図７】
2012000350.tif 000009
【図８】
2012000350.tif 000010
【図９】
2012000350.tif 000011